(57)【特許請求の範囲】
【請求項１】
デバイス対デバイスワイヤレス通信のための方法であって、ユーザデバイスで、
第１の利用可能な帯域幅を有する認可無線周波数スペクトル帯域を介して信号をブロードキャストすることと、前記信号は、前記第１の利用可能な帯域幅よりも大きい第２の利用可能な帯域幅を有する無認可無線周波数スペクトル帯域を介した測距プロシージャの実行をトリガする、
前記無認可無線周波数スペクトル帯域に同調することと、
前記ブロードキャストされた信号に応答して前記無認可無線周波数スペクトル帯域を介して複数の測距信号を受信することと、
を備える方法。
【請求項２】
前記信号をブロードキャストすることは、前記認可無線周波数スペクトル帯域を介して発見信号をブロードキャストすることを備える、請求項１に記載の方法。
【請求項３】
前記受信された複数の測距信号に少なくとも部分的に基づいて、少なくとも１つのデバイスに関連付けられた測位情報を決定することをさらに備える、請求項１に記載の方法。
【請求項４】
前記受信された複数の測距信号に関連付けられた測距測定値をブロードキャストすることをさらに備える、請求項１に記載の方法。
【請求項５】
前記信号は、前記測距プロシージャを実行するための情報を含む、請求項１に記載の方法。
【請求項６】
前記信号に含まれる前記情報は、帯域幅、中央周波数、およびタイムスロットを備える情報を含む、請求項５に記載の方法。
【請求項７】
前記信号に含まれる前記情報は、予め構成される、請求項５に記載の方法。
【請求項８】
基地局で容易にされるデバイス対デバイスワイヤレス通信のための方法であって、
第１の利用可能な帯域幅を有する認可無線周波数スペクトル帯域を介して信号を送信することを備え、前記信号は、前記第１の利用可能な帯域幅よりも大きい第２の利用可能な帯域幅を有する無認可無線周波数スペクトル帯域を介した測距プロシージャの実行をトリガし、前記信号は、少なくとも２つのユーザ機器（ＵＥ）間の前記測距プロシージャを調整するための少なくとも１つのパラメータを提供する、
方法。
【請求項９】
前記信号によって提供される前記少なくとも１つのパラメータが、前記少なくとも２つのＵＥによる前記測距プロシージャの実行のためのスケジュールを備える、請求項８に記載の方法。
【請求項１０】
前記信号によって提供される前記少なくとも１つのパラメータが、前記少なくとも２つのＵＥによる前記測距プロシージャの周期的実行のためのスケジュールを備える、請求項８に記載の方法。
【請求項１１】
前記測距プロシージャは、測距測定を備え、
前記信号は、前記ＵＥのうちの少なくとも１つに前記測距測定の結果を前記基地局に報告させる、
請求項８に記載の方法。
【請求項１２】
デバイス対デバイス能力を持つユーザ機器であって、
第１の利用可能な帯域幅を有する認可無線周波数スペクトル帯域を介して信号をブロードキャストするための手段と、前記信号は、前記第１の利用可能な帯域幅よりも大きい第２の利用可能な帯域幅を有する無認可無線周波数スペクトル帯域を介した測距プロシージャの実行をトリガするように構成される、
前記無認可無線周波数スペクトル帯域に同調するための手段と、
前記ブロードキャストされた信号に応答して前記無認可無線周波数スペクトル帯域を介して複数の測距信号を受信するための手段と、
を備えるユーザ機器。
【請求項１３】
基地局であって、
第１の利用可能な帯域幅を有する認可無線周波数スペクトル帯域を介して信号を送信するための手段を備え、前記信号は、前記第１の利用可能な帯域幅よりも大きい第２の利用可能な帯域幅を有する無認可無線周波数スペクトル帯域を介した測距プロシージャの実行をトリガし、前記信号は、デバイス対デバイス能力を持つ少なくとも２つのＵＥ間の前記測距プロシージャを調整するための少なくとも１つのパラメータを提供する、
基地局。
【請求項１４】
デバイス対デバイスワイヤレス通信のための方法であって、
第１の利用可能な帯域幅を有する認可無線周波数スペクトル帯域を介して信号を受信することと、
前記第１の利用可能な帯域幅よりも大きい第２の利用可能な帯域幅を有する無認可無線周波数スペクトル帯域に同調することと、
前記信号に応答して前記無認可無線周波数スペクトル帯域上で複数の測距信号を送信することと、
を備える方法。
【発明の詳細な説明】
【関連出願】
【０００１】
[0001]本特許出願は、２０１５年７月８日付で出願された「Wideband Ranging in Cellular Using Unlicensed Radio Frequency Spectrum Band」という題名の、Jose他による米国特許出願第１４／７９４，５５７号、および２０１４年８月１９日付で出願された、「Wideband Ranging in Cellular Using Unlicensed Radio Frequency Spectrum Band」という題名の、Jose他による米国仮特許出願第６２／０３９，１８７号に基づく優先権を主張し、これらの各々は、本明細書の譲受人に譲渡される。
【技術分野】
【０００２】
[0002]以下は例えば、ワイヤレス通信に関し、より具体的には、無認可無線周波数スペクトル帯域におけるワイヤレス通信に関する。
【背景技術】
【０００３】
[0003]ワイヤレス通信システムは、音声、ビデオ、パケットデータ、メッセージング、ブロードキャスト等のような、様々なタイプの通信コンテンツを提供するために広く展開されている。これらのシステムは、利用可能なシステムリソース（例えば、時間、周波数、および電力）を共有することによって複数のユーザとの通信をサポートすることが可能な多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、および、直交周波数分割多元接続（ＯＦＤＭＡ）システムを含む。
【０００４】
[0004]一般に、ワイヤレス多元接続通信システムは、複数の基地局を含むことができ、各々が同時に、複数のモバイルデバイスのための通信をサポートする。基地局は、ダウンストリームおよびアップストリームリンク上でモバイルデバイスと通信することができる。各基地局は、カバレッジ範囲を有し、それはセルのカバレッジエリアと称されうる。
【０００５】
[0005]モバイルデバイスおよび／または基地局は、システムまたはネットワーク内でのワイヤレス通信を容易にするために、例えば、モバイルデバイスが基地局に関連付く（associates with）とき、測距オペレーション（ranging operation）を実行することができる。さらに、モバイルデバイスは、１つのモバイルデバイスが複数のモバイルデバイスの網状ネットワークに加わるとき等に、デバイス対デバイス（Ｄ２Ｄ）通信を容易にするために発見オペレーションを実行することができる。従来、そのような測距および発見オペレーションは、認可無線周波数スペクトル帯域を介してセルラ経由で実行される。しかしながら、これらのオペレーションから取得される距離／疑似距離測定値の正確さは、認可無線周波数スペクトル帯域の比較的狭い帯域幅によって限定される。
【発明の概要】
【０００６】
[0006]説明される特徴は、例えば、ワイヤレス通信のための１つまたは複数の改善されたシステム、方法、および／または装置に関する。より具体的には、説明される特徴は、無認可無線周波数スペクトル帯域を使用して正確な距離／疑似距離測定値を取得するための技法に関する。一例では、信号は、例えば、ロングタームエボリューション（ＬＴＥ（登録商標））またはＬＴＥアドバンスド（ＬＴＥ−Ａ）の基地局またはモバイルデバイスによって、認可無線周波数スペクトル帯域におけるチャネルを介して送信される。その信号は、認可無線周波数スペクトル帯域よりも広い帯域幅を有する無認可無線周波数スペクトル帯域を介した測距プロシージャの実行をトリガすることができる。トリガされた測距プロシージャは、基地局、モバイルデバイス、または別のワイヤレス通信デバイス（例えば、基地局、モバイルデバイス等）によって実行されうる。
【０００７】
[0007]ワイヤレス通信のための方法が説明される。一インプリメンテーションにしたがうと、その方法は、認可無線周波数スペクトル帯域を介して信号を送信することを伴いうる。その信号は、無認可無線周波数スペクトル帯域を介した測距プロシージャの実行をトリガすることができる。
【０００８】
[0008]いくつかの例では、信号を送信することは、認可無線周波数スペクトル帯域を介して発見信号または測距信号を送信することを伴いうる。代わりとしてまたは加えて、信号を送信することは、信号をブロードキャストすることを伴いうる。そのような例では、方法が、ブロードキャストされた信号に応答して無認可無線周波数スペクトル帯域を介して複数の測距信号を受信することを伴いうる。そのような例では、方法がまた、受信された複数の測距信号に少なくとも部分的に基づいて、少なくとも１つのデバイスに関連付けられた測位情報を決定することも伴いうる。代わりとしてまたは加えて、方法は、受信された複数の測距信号に関連付けられた測距測定値をブロードキャストすることを伴いうる。
【０００９】
[0009]いくつかの例では、方法が、その信号に少なくとも部分的に基づいて測距プロシージャを実行するための情報を決定することを伴いうる。そのような例では、測距プロシージャを実行するための情報を決定することは、信号の少なくとも一部を復号することを伴いうる。代わりとしてまたは加えて、測距プロシージャを実行するための情報を決定することは、予め定義されたマップを適用することを伴いうる。代わりとしてまたは加えて、測距プロシージャを実行するための情報を決定することは、信号の少なくとも一部によって示されたリソースにアクセスすることを伴いうる。
【００１０】
[0010]いくつかの例では、その信号が、測距プロシージャを実行するための情報を含むことができる。そのような例では、信号に含まれる情報は、帯域幅、中央周波数、およびタイムスロットを備える情報を含むことができる。いくつかの例では、信号に含まれる情報は、予め構成されうる。
【００１１】
[0011]いくつかの例では、信号を送信することは、基地局によって実行されうる。そのような例では、その信号が、少なくとも２つのユーザ機器（ＵＥ）間の測距プロシージャを調整するための少なくとも１つのパラメータを提供することができる。いくつかの例では、信号によって提供される少なくとも１つのパラメータが、少なくとも２つのＵＥによる測距プロシージャの実行のためのスケジュールを含むことができる。いくつかの例では、そのスケジュールは、少なくとも２つのＵＥによる測距プロシージャの周期的実行のためのものでありうる。
【００１２】
[0012]信号を送信することが基地局によって実行される他の例では、測距プロシージャが、測距測定を伴いうる。そのような例では、信号が、少なくとも１つのＵＥに測距測定の結果を基地局に報告させることができる。
【００１３】
[0013]信号を送信することが基地局によって実行される他の例では、信号が、無認可無線周波数スペクトル帯域を介した測距プロシージャを実行するためのスケジュールを含むことができる。そのような例では、方法は、基地局がそのスケジュールにしたがって測距プロシージャを実行することを伴いうる。いくつかの例では、信号が、無認可無線周波数スペクトル帯域を介した測距プロシージャを実行するための少なくとも１つの他の基地局用のスケジュールを含むことができる。
【００１４】
[0014]ワイヤレス通信のための装置が説明される。一構成では、その装置は、認可無線周波数スペクトル帯域を介して信号を送信するための送信機を含むことができる。その信号は、無認可無線周波数スペクトル帯域を介した測距プロシージャの実行をトリガするように構成されうる。その装置は、上でおよびここで説明されている方法の様々なオペレーションを行うように構成されたこれらのおよび／または他の要素を含むことができる。
【００１５】
[0015]ワイヤレス通信のための別の装置が説明される。一構成にしたがうと、その装置は、認可無線周波数スペクトル帯域を介して信号を送信するための手段を含むことができる。その信号は、無認可無線周波数スペクトル帯域を介した測距プロシージャの実行をトリガするように構成されうる。その装置は、上でおよびここで説明されている方法の様々なオペレーションを行うように構成されたこれらのおよび／または他の要素を含むことができる。
【００１６】
[0016]非一時的コンピュータ可読媒体が説明される。その媒体は、ワイヤレス通信のためのコンピュータによって実行可能なコードを記憶することができる。そのコードは、認可無線周波数スペクトル帯域を介して信号を送信するようにプロセッサによって実行可能でありうる。信号は、無認可無線周波数スペクトル帯域を介した測距プロシージャの実行をトリガするように構成されうる。そのコードは、上でおよびここで説明されている方法のこれらのおよび／または他の様々なオペレーションを実行するようにプロセッサによって実行可能でありうる。
【００１７】
[0017]ワイヤレス通信のための別の方法が説明される。一構成にしたがうと、その方法は、認可無線周波数スペクトル帯域を介して信号を受信することと、受信された信号に少なくとも部分的に基づいて無認可無線周波数スペクトル帯域を介した測距プロシージャを実行することと、を伴いうる。
【００１８】
[0018]いくつかの例では、信号を受信することが、ＵＥから発見リクエストメッセージを受信することを含むことができる。測距プロシージャを実行することは、無認可無線周波数スペクトル帯域の同じ周波数上で複数の測距信号を送信することを含むことができる。代わりとしてまたは加えて、測距プロシージャを実行することは、無認可無線周波数スペクトル帯域の複数の周波数上で少なくとも１つの測距信号を送信することを含むことができる。
【００１９】
[0019]いくつかの例では、信号を受信することがＵＥからブロードキャストされた信号を受信することを含むことができ、ここにおいて受信されたブロードキャストされた信号は、複数のデバイスからの複数の測距測定値を含むことができる。そのような例では、方法が、無認可無線周波数スペクトル帯域を介した測距プロシージャを実行したデバイスの位置を決定するために、複数の測距測定値からの少なくとも１つの測距測定値、および無認可無線周波数スペクトル帯域を介した測距プロシージャを実行したことから結果として得られる測距測定値を使用することをさらに含むことができる。
【００２０】
[0020]ワイヤレス通信のための装置が説明される。一例では、その装置は、認可無線周波数スペクトル帯域を介して信号を受信するための受信機、および受信された信号に少なくとも部分的に基づいて無認可無線周波数スペクトル帯域を介した測距プロシージャを実行するための通信マネージャを含むことができる。その装置は、上でおよびここで説明されている方法の様々なオペレーションを行うように構成されたこれらのおよび／または他の要素を含むことができる。
【００２１】
[0021]ワイヤレス通信のための別の装置が説明される。一例にしたがうと、その装置は、認可無線周波数スペクトル帯域を介して信号を受信するための手段と、受信された信号に少なくとも部分的に基づいて無認可無線周波数スペクトル帯域を介して測距プロシージャを実行するための手段と、を含むことができる。その装置は、上でおよびここで説明されている方法の様々なオペレーションを行うように構成されたこれらのおよび／または他の要素を含むことができる。
【００２２】
[0022]非一時的コンピュータ可読媒体が説明される。その非一時的コンピュータ可読媒体は、ワイヤレス通信のためのコンピュータによって実行可能なコードを記憶することができる。そのコードは、認可無線周波数スペクトル帯域を介して信号を受信し、受信された信号に少なくとも部分的に基づいて無認可無線周波数スペクトル帯域を介した測距プロシージャを実行するようにプロセッサによって実行可能でありうる。そのコードは、上でおよびここで説明されている方法のこれらのおよび／または他の様々なオペレーションを実行するようにプロセッサによって実行可能でありうる。
【００２３】
[0023]説明される方法および装置の適用性のさらなる範囲が、以下の発明を実施するための形態、請求項、および図面から明らかになるだろう。説明の範囲内での様々な変更および修正が当業者に明らかになるだろうことから、発明を実施するための形態および具体的な例は、例示のみを目的として与えられている。
【００２４】
[0024]本開示の本質および利点のさらなる理解は、以下の図面への参照によって実現されうる。添付の図では、同様のコンポーネントまたは特徴が、同じ参照ラベルを有しうる。さらに、同じタイプの様々なコンポーネントは、参照ラベルに、ダッシュと、同様のコンポーネントを区別する第２のラベルとを後続させることによって区別されうる。本明細書において第１の参照ラベルのみが使用される場合、その説明は、第２の参照ラベルに関係なく、同じ第１の参照ラベルを有する同様のコンポーネントのうちのいずれの１つにも適用可能である。
【図面の簡単な説明】
【００２５】
【図１】本開示の様々な態様にしたがった、ワイヤレス通信システムのブロック図を図示する。
【図２Ａ】本開示の様々な態様にしたがった、発見、アソシエーション（association）、および／または測距のためのデバイス間の通信の例を例示する図を図示する。
【図２Ｂ】本開示の様々な態様にしたがった、測距のためのデバイス間の通信の例を例示する図を図示する。
【図３Ａ】本開示の様々な態様にしたがった、ワイヤレス通信のために使用されうる装置の例のブロック図を図示する。
【図３Ｂ】本開示の様々な態様にしたがった、ワイヤレス通信のために使用されうる装置の別の例のブロック図を図示する。
【図３Ｃ】本開示の様々な態様にしたがった、ワイヤレス通信のために使用されうる装置のまた別の例のブロック図を図示する。
【図４】本開示の様々な態様にしたがった、ワイヤレス通信のために構成されたユーザ機器（ＵＥ）用のアーキテクチャの例を例示するブロック図を図示する。
【図５】本開示の様々な態様にしたがった、ワイヤレス通信のために構成された基地局用のアーキテクチャの例を例示する図を図示する。
【図６】本開示の様々な態様にしたがった、ワイヤレス通信のための方法の例を例示するフローチャートである。
【図７】本開示の様々な態様にしたがった、ワイヤレス通信のための方法の別の例を例示するフローチャートである。
【図８】本開示の様々な態様にしたがった、ワイヤレス通信のための方法のまた別の例を例示するフローチャートである。
【図９】本開示の様々な態様にしたがった、ワイヤレス通信のための方法のさらに別の例を例示するフローチャートである。
【図１０】本開示の様々な態様にしたがった、ワイヤレス通信のための方法のさらなる例を例示するフローチャートである。
【発明を実施するための形態】
【００２６】
[0038]測距プロシージャを実行するための無認可無線周波数スペクトル帯域の利用が説明される。測距プロシージャの実行は、認可無線周波数スペクトル帯域において送信された信号によってトリガされうる。例えば認可無線周波数スペクトル帯域を使用するロングタームエボリューション（ＬＴＥ）通信における従来の測距が１０ＭＨｚ帯域幅に限定されうるのに対して、測距のために無認可無線周波数スペクトル帯域を使用することは、１００ＭＨｚ以上のような、より広い帯域幅の使用を可能にしうる。より広い帯域幅の使用は、結果としてより正確な測距測定（例えば、到着時間（time-of-arrival）推定）をもたらしうる。
【００２７】
[0039]一インプリメンテーションにしたがうと、第１のワイヤレスデバイスおよび第２のワイヤレスデバイス（例えば、ＬＴＥ−ｄｉｒｅｃｔ（ＬＴＥ−Ｄ）能力を持つユーザ機器（ＵＥ））は、認可無線周波数スペクトル帯域（例えば、認可ＬＴＥ帯域）を介して互いに通信することによって発見オペレーションを実行することができる。ワイヤレスデバイスのうちの１つによる他のワイヤレスデバイスからの発見信号の受信は、無認可無線周波数スペクトル帯域を介した測距プロシージャを実行するための範囲内にそれらのデバイスがあるというインジケーションとして使用されうる。このように、発見信号は、距離／疑似距離測定値に正確さを提供するために、無認可無線周波数スペクトル帯域を介した測距プロシージャの実行をトリガすることができる。
【００２８】
[0040]本明細書で説明される技法は、ＬＴＥに限定されず、ＣＤＭＡ、ＴＤＭＡ、ＦＤＭＡ、ＯＦＤＭＡ、ＳＣ−ＦＤＭＡ、および他のシステムのような様々なワイヤレス通信システムのためにも使用されうる。「システム」および「ネットワーク」という用語は、度々、交換可能に使用される。ＣＤＭＡシステムは、ＣＤＭＡ２０００、ユニバーサル地上無線アクセス（ＵＴＲＡ）等のような無線技術をインプリメントすることができる。ＣＤＭＡ２０００は、ＩＳ−２０００、ＩＳ−９５、ＩＳ−８５６規格をカバーする。ＩＳ−２０００リリース０およびＡは一般に、ＣＤＭＡ２０００  １Ｘ、１Ｘ等と称される。ＩＳ−８５６（ＴＩＡ−８５６）は、一般に、ＣＤＭＡ２０００  １ｘＥＶ−ＤＯ、高速パケットデータ（ＨＲＰＤ）等と称される。ＵＴＲＡは、広帯域ＣＤＭＡ（ＷＣＤＭＡ（登録商標））およびＣＤＭＡの他の変形を含む。ＴＤＭＡシステムは、モバイル通信のためのグローバルシステム（ＧＳＭ（登録商標））のような無線技術をインプリメントしうる。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ等のような無線技術をインプリメントすることができる。ＵＴＲＡおよびＥ−ＵＴＲＡは、ユニバーサルモバイルテレコミュニケ―ションシステム（ＵＭＴＳ）の一部である。ＬＴＥおよびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ（登録商標））という名称の団体による文書中で説明されている。ＣＤＭＡ２０００およびＵＭＢは、「第３世代パートナーシッププロジェクト２」（３ＧＰＰ２）という名称の団体による文書中で説明されている。本明細書で説明される技法は、上で言及されたシステムおよび無線技術、それに加えて他のシステムおよび無線技術のために使用されうる。しかしながら、以下の説明は、例の目的でＬＴＥシステムを説明しており、ＬＴＥの専門用語が以下の説明の大部分において使用されているが、本技術はＬＴＥアプリケーションの域を超えて適用可能である。
【００２９】
[0041]以下の説明は例を提供しており、請求項において述べられる範囲、適用性、または構成の限定ではない。変更は、本開示の範囲から逸脱することなく、説明される要素の機能および配置において行われうる。様々な実施形態が、必要に応じて、様々なプロシージャまたはコンポーネントを省略、代用、または追加しうる。例えば、説明される方法は、説明されるものとは異なる順序で実行され得、様々なステップが追加、省略、または組み合わされうる。また、ある特定の実施形態に関して説明される特徴は、他の実施形態において組み合されうる。
【００３０】
[0042]まず図１を参照すると、本開示の様々な態様にしたがった、ワイヤレス通信システム１００のブロック図が図示される。ワイヤレス通信システム１００は、複数の基地局（例えば、アクセスポイント、ｅＮＢ、またはＷＬＡＮアクセスポイント）１０５、複数のユーザ機器（ＵＥ）１１５、およびコアネットワーク１３０を含むことができる。基地局１０５のいくつかは、基地局コントローラ（図示せず）の制御下でＵＥ１１５と通信することができ、基地局コントローラは、様々なインプリメンテーションにおいて、コアネットワーク１３０またはある特定の基地局１０５（例えば、基地局またはｅＮＢ）の一部でありうる。基地局１０５のいくつかは、バックホール１３２を通じて、コアネットワーク１３０と制御情報および／またはユーザデータを通信することができる。いくつかのインプリメンテーションでは、基地局１０５のいくつかが、直接的または間接的のいずれかで、バックホールリンク１３４を介して互いに通信することができ、バックホールリンク１３４は、有線またはワイヤレス通信リンクでありうる。ワイヤレス通信システム１００は、複数のキャリア（異なる周波数の波形信号）上のオペレーションをサポートすることができる。マルチキャリア送信機は、変調された信号を複数のキャリア上で同時に送信することができる。例えば、各通信リンク１２５は、様々な無線技術にしたがって変調されたマルチキャリア信号でありうる。各変調された信号は、異なるキャリア上で送られ得、制御情報（例えば、基準信号（reference signal）、制御チャネル等）、オーバヘッド情報、スケジューリング情報、データ等を搬送することができる。
【００３１】
[0043]基地局１０５は、１つまたは複数のアクセスポイントアンテナを介してＵＥ１１５とワイヤレスで通信することができる。基地局１０５の各々は、それぞれのカバレッジエリア１１０に対する通信カバレッジを提供することができる。いくつかのインプリメンテーションでは、アクセスポイント１０５は、基地局、トランシーバ基地局（ＢＴＳ）、無線基地局、無線トランシーバ、基本サービスセット（ＢＳＳ）、拡張サービスセット（ＥＳＳ）、ノードＢ、発展型ノードＢ（ｅＮＢ）、ホームノードＢ、ホームｅノードＢ、ＷＬＡＮアクセスポイント、Ｗｉ−Ｆｉノード、または何らかの他の適した専門用語と称されうる。アクセスポイント１０５に対するカバレッジエリア１１０は、それぞれのカバレッジエリア１１０の一部分のみを構成するセクタ（図示せず）に分割されうる。ワイヤレス通信システム１００は、異なるタイプの基地局１０５（例えば、マクロ、マイクロ、および／またはピコ基地局）を含むことができる。基地局１０５はまた、セルラおよび／またはＷＬＡＮ無線アクセス技術のような異なる無線技術を利用することができる。基地局１０５は、同じまたは異なるアクセスネットワークあるいはオペレータ展開に関連付けられうる。同じまたは異なるタイプの基地局１０５のカバレッジエリアを含み、同じまたは異なる無線技術を利用し、および／または、同じまたは異なるアクセスネットワークに属する異なる基地局１０５のカバレッジエリア１１０は、重複しうる。カバレッジエリア１１０は、図１で例示されているようなマクロセルおよびスモールセル（例えば、フェムトセル、ピコセル等）のようなセルを定義するように考慮されうる。スモールセルは、便宜上、単一のＵＥ１１５だけがそれぞれのカバレッジエリア内にある状態で図示されているけれども、あらゆる数のＵＥ１１５がスモールセルのカバレッジエリア内にありうることは理解されるべきである。
【００３２】
[0044]いくつかのインプリメンテーションでは、ワイヤレス通信システム１００が、ＬＴＥ／ＬＴＥ−Ａ通信システム（またはネットワーク）を含むことができ、ＬＴＥ／ＬＴＥ−Ａ通信システムは、無認可無線周波数スペクトル帯域を使用して通信するための１つまたは複数のオペレーションのモード、あるいは展開シナリオをサポートすることができる。他のインプリメンテーションでは、ワイヤレス通信システム１００が、ＬＴＥ／ＬＴＥ−Ａとは異なるアクセス技術および認可無線周波数スペクトル帯域を使用するワイヤレス通信をサポートすることができる。ＬＴＥ／ＬＴＥ−Ａ通信システムでは、発展型ノードＢ、すなわちｅＮＢ、という用語は概して、基地局１０５を説明するために使用されうる。ワイヤレス通信システム１００は、異なるタイプのｅＮＢが様々な地理的領域に対するカバレッジを提供する異種ＬＴＥ／ＬＴＥ−Ａネットワークでありうる。例えば、各基地局１０５は、マクロセル、ピコセル、フェムトセル、および／または他のタイプのセルに対する通信カバレッジを提供することができる。ピコセル、フェムトセルのようなスモールセル、および／または他のタイプのセルは、低電力ノード、すなわちＬＰＮを含むことができる。マクロセルは一般に、比較的大きい地理的エリア（例えば、半径数キロメートル）をカバーし、ネットワークプロバイダへのサービス加入を持つＵＥによる無制限アクセスを可能にしうる。ピコセルは一般に、比較的それより小さい地理的エリアをカバーし、ネットワークプロバイダへのサービス加入を持つＵＥによる無制限アクセスを可能にしうる。フェムトセルもまた一般に、比較的小さい地理的エリア（例えば、家）をカバーすることができ、無制限アクセスに加え、フェムトセルとのアソシエーションを有するＵＥ（例えば、クローズド加入者グループ（ＣＳＧ）中のＵＥ、家の中のユーザ用のＵＥ等）による制限されたアクセスも提供することができる。マクロセルに対するｅＮＢは、マクロｅＮＢと称されうる。ピコセルに対するｅＮＢは、ピコｅＮＢと称されうる。そして、フェムトセルに対するｅＮＢは、フェムトｅＮＢまたはホームｅＮＢと称されうる。ｅＮＢは、１つまたは複数（例えば、２つ、３つ、４つ等）のセルをサポートすることができる。
【００３３】
[0045]コアネットワーク１３０は、バックホール１３２（例えば、Ｓ１アプリケーションプロトコル等）経由で基地局１０５と通信することができる。基地局１０５はまた、バックホールリンク１３４（例えば、Ｘ２アプリケーションプロトコル等）経由で、および／またはバックホール１３２経由で（例えば、コアネットワーク１３０を通じて）、直接的または間接的に、互いに通信することができる。ワイヤレス通信システム１００は、同期または非同期オペレーションをサポートすることができる。同期オペレーションでは、基地局が類似のフレームおよび／またはゲートタイミングを有し得、異なる基地局からの送信が時間的に近似に整列されうる。非同期オペレーションでは、基地局が異なるフレームおよび／またはゲートタイミングを有し得、異なる基地局からの送信が時間的に整列されないことがある。本明細書で説明される技法は、同期または非同期オペレーションのいずれかのために使用されうる。
【００３４】
[0046]ＵＥ１１５は、ワイヤレス通信システム１００全体にわたって分散され得、各ＵＥ１１５は、固定または移動式でありうる。ＵＥ１１５はまた、当業者によって、モバイルデバイス、モバイル局、加入者局、モバイルユニット、加入者ユニット、ワイヤレスユニット、遠隔ユニット、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の適した専門用語と称されうる。ＵＥ１１５は、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレス電話、腕時計またはメガネのようなウェアラブルアイテム、ワイヤレスローカルループ（ＷＬＬ）局、または同様のものでありうる。ＵＥ１１５は、マクロｅＮＢ、ピコｅＮＢ、フェムトｅＮＢ、中継器等と通信することが可能でありうる。ＵＥ１１５はまた、セルラまたは他のＷＷＡＮアクセスネットワーク、あるいはＷＬＡＮアクセスネットワークのような、異なるアクセスネットワークを介して通信することも可能でありうる。
【００３５】
[0047]ワイヤレス通信システム１００で図示されている通信リンク１２５は、（例えば、ＵＥ１１５から基地局１０５への）アップリンク（ＵＬ）送信を搬送するためのアップリンク、および／または（例えば、基地局１０５からＵＥ１１５への）ダウンリンク（ＤＬ）送信を搬送するためのダウンリンクを含むことができる。ＵＬ送信が逆リンク送信とも呼ばれうる一方で、ＤＬ送信もまた順方向リンク送信と呼ばれうる。ダウンリンク送信は、認可無線周波数スペクトル帯域（例えば、ＬＴＥ）、無認可無線周波数スペクトル帯域、またはその両方を使用して行われうる。同様に、アップリンク送信は、認可無線周波数スペクトル帯域（例えば、ＬＴＥ）、無認可無線周波数スペクトル帯域、またはその両方を使用して行われうる。
【００３６】
[0048]ワイヤレス通信システム１００のいくつかのインプリメンテーションでは、ＵＥ１１５のいくつか（例えば、ＵＥ１１５−ａ、１１５−ｂ、および１１５−ｃ）が、基地局１０５のうちの１つも使用することなく、直接的または間接的に、互いに通信するように構成されうる。（通信リンク１２５を介した）そのようなデバイス対デバイス（Ｄ２Ｄ）通信は、例えば、ＬＴＥ−Ｄを用いうる。
【００３７】
[0049]ＵＥ１１５および基地局１０５は、ＵＥ１１５が基地局１０５と関連付くように、認可無線周波数スペクトル帯域（例えば、認可ＬＴＥ帯域）を介して通信することができる。さらにＵＥ１１５は、別のＵＥ１１５と、互いを発見し、自身を互いに関連付ける（例えば、Ｄ２Ｄ通信用の網状ネットワークを形成する）ために、認可無線周波数スペクトル帯域を介して直接的に通信することができる。どちらのケースでも、そのような通信の信号は、無認可無線周波数スペクトル帯域における測距プロシージャの実行のためのトリガとして使用されうる。無認可無線周波数スペクトル帯域における無認可無線周波数スペクトル帯域を介した測距は、認可無線周波数スペクトル帯域を使用して行われる測定と比較すると、距離疑似距離測定値の改善された正確さを提供することができる。発見、測距、またはアソシエーションプロシージャの一部でない認可無線周波数スペクトル帯域を介して送信／受信された信号もまた、無認可無線周波数スペクトル帯域における測距プロシージャをトリガするために用いられうることは理解されるべきである。
【００３８】
[0050]図２Ａは、本開示の様々な態様にしたがった、発見、アソシエーション、および／または測距のためのデバイス間の通信の例２００を例示する図を図示する。一インプリメンテーションでは、図２Ａが、第１のデバイス２０５（デバイスＡ）と第２のデバイス２１０（デバイスＢ）との間の通信を例示する。第１および第２のデバイス２０５、２１０は、図１の基地局１０５、図１のＵＥ１１１５、またはそれらの組合せの例のような、図１のワイヤレス通信システム１００の一部でありうる。
【００３９】
[0051]図２Ａは、認可無線周波数スペクトル帯域（例えば、ＬＴＥ帯域）を介した第１の通信２１５を例示する。上で着目されたように、第１の通信２１５は、第１のデバイス２０５と第２のデバイス２１０との間の発見、測距、またはアソシエーションプロシージャの一部でありうる。第１の通信２１５は、第１のデバイス２０５によって送信され、第２のデバイス２１０によって受信され得、またはその逆もありうる。第１の通信２１５は発見リクエストメッセージ（例えば、ＬＴＥ−Ｄ）であり得、その発見リクエストメッセージは、第１のデバイス２０５のアイデンティティ、無認可無線周波数スペクトル帯域を介した測距プロシージャのためのスケジュール、測距プロシージャのための他の情報、および／または無認可無線周波数スペクトル帯域を使用して第１のデバイス２０５が測距する能力を有することを示しうる。第２のデバイス２１０は、それ自身のアイデンティティ等を示すために、発見応答メッセージ（図示せず）を第１のデバイス２０５に送ることができる。
【００４０】
[0052]したがって第１の通信２１５は、第１のデバイス２０５および第２のデバイス２１０が無認可無線周波数スペクトル帯域に同調し、スケジュールにしたがって測距信号を交換する、無認可無線周波数スペクトル帯域を介した測距プロシージャの実行をトリガすることができる。例えば、第２の通信２２０−ａは、無認可無線周波数スペクトル帯域における無認可無線周波数スペクトル帯域のチャネル経由で第１のデバイス２０５から第２のデバイス２１０に送信された測距信号でありうる。代わりとしてまたは加えて、第２の通信２２０−ａは、第２のデバイス２１０から第１のデバイス２０５に送信された測距信号でありうる。
【００４１】
[0053]いくつかの態様では、測距プロシージャは、１つまたは複数のチャネル経由の複数の通信を含むことができる。したがって、測距プロシージャは、第２の通信２２０−ａと同じチャネル経由か、または無認可無線周波数スペクトル帯域における無認可無線周波数スペクトル帯域の異なるチャネル経由のどちらかの、第１のデバイス２０５と第２のデバイス２１０との間の第３の通信２２０−ｂおよび第４の通信２２０−ｃを含むことができる。
【００４２】
[0054]図２Ａは、１つの第２のデバイス２１０（デバイスＢ）を例示しているけれども、（例えば、第１のデバイス２０５によってブロードキャストされた）第１の通信２１５を受信する第２のデバイス２１０の複数の例が存在しうることは理解されるべきである。したがって、第２のデバイス２１０の複数の例は、無認可無線周波数スペクトル帯域を使用して第１のデバイス２０５との測距プロシージャを実行するようにトリガされうる。
【００４３】
[0055]いくつかの態様では、測距プロシージャをトリガする認可無線周波数スペクトル帯域における信号（図２Ａの例２００における第１の通信２１５）は、測距プロシージャを実行するための情報を含むことができる。例えば、含まれる情報は、測距プロシージャのための帯域幅、中央周波数、およびタイムスロットでありうる。いくつかのケースでは、トリガリング信号に含まれる情報が、例えば、測距プロシージャに携わるデバイスの能力のために決定または予め構成されうる。その情報は、トリガリング信号に明示的に含まれうる（例えば、その信号において符号化され、デバイス（複数を含む）によって復号されうる）か、そうでなければトリガリング信号によって示される、またはトリガリング信号から決定されうる。例えば、測距プロシージャのための情報に対するインデックスは、トリガリング信号に含まれうる。代わりとしてまたは加えて、トリガリング信号は、測距プロシージャを実行するための情報を取得するためにデバイス（複数を含む）によってアクセスされうるリソースに対するポインタを含むことができる。代わりとしてまたは加えて、何らかの情報が、トリガリング信号によって暗黙的に示されうる。
【００４４】
[0056]測距プロシージャの距離測定（複数を含む）のための時間は、トリガリング信号に含まれうるか、トリガリング信号によって示されうる。例えば、その時間は、例えば、トリガリング信号を受信した後の予め設定された時間（複数を含む）に測距測定（複数を含む）を実行するように構成されたデバイスで暗黙的に示されうる。含まれる／示される時間は、測距プロシージャに携わるデバイスを、デバイスが時間の指定されたポイントで距離測定（複数を含む）をスタートする（例えば、指定の帯域に同調し、測距信号を送る／リスンする）ように、同期させるために使用されうる。
【００４５】
[0057]測距プロシージャの距離測定（複数を含む）のための帯域は、トリガリング信号に含まれうるか、トリガリング信号によって示されうる。例えば、その帯域は、例えば、予め設定されたマップによって暗黙的に示され得、それは、デバイス（複数を含む）の現在のネットワークまたはロケーションに基づきうる。例えば、デバイス（複数を含む）は、ネットワークによるブロードキャスト（例えば、ＬＴＥシステム情報ブロードキャスト（ＳＩＢ））からネットワークまたはロケーション情報を決定し、複数の予め設定された帯域マップのうちのどれが距離測定（複数を含む）のために使用されるべきかを決定することができる。含まれる／示される帯域は、スペクトル空間のどこで距離測定（複数を含む）のための測距信号（複数を含む）が作られるべきかを識別することができる。その帯域は、例えば、予め決定された帯域（例えば、無認可無線周波数スペクトル帯域におけるＬＴＥ通信のために設定された無認可帯域）でありうるか、またはデバイスの特定のネットワークまたはロケーションに利用可能な使用されていない帯域でありうる。
【００４６】
[0058]トリガリング信号に含まれる、またはトリガリング信号によって示される帯域情報はさらに、測距プロシージャの距離測定（複数を含む）のために使用されるべき帯域の幅を識別することができる。その幅は予め設定されうるか、または測距プロシージャに携わるデバイスの能力（例えば、ハードウェア能力および／または特定の構成（例えば、バッテリ、消費電力等））に依存しうる。
【００４７】
[0059]測距プロシージャの測距信号（複数を含む）に関する信号タイプおよび／またはフォーマットもまた、トリガリング信号に含まれうる、またはトリガリング信号によって示されうる。例えば、ＬＴＥ−Ｄ発見メッセージ、ＬＴＥ−Ｄ通信メッセージ、またはＷｉ−Ｆｉメッセージが、測距信号のために使用されうる。いくつかのケースでは、信号タイプおよび／またはフォーマットは、どの情報（例えば、到着時間情報、出発時間（time-of-departure）情報、または他の情報）が測距信号に含まれることになるか（または測距信号によって示されることになるか）を示すことができる。
【００４８】
[0060]測距プロシージャの測距信号（複数を含む）のためのスケジュールもまた、トリガリング信号に含まれうる、またはトリガリング信号によって示されうる。例えば、複数の信号交換（例えば、測距信号）を伴う測距プロシージャのケースでは、スケジュールが、（例えば、スケジュールが測定オペレーションに関するシーケンスを示して）信号交換を調整することができる。そのスケジュールは、測距信号のための時間、周波数帯域等を示すことができる。したがって、複数のチャネルが測距プロシージャの測距信号（複数を含む）のために使用される場合、スケジュールが用いられうる。
【００４９】
[0061]測距プロシージャに携わるデバイスに関する識別子は、トリガリング信号に含まれうる、またはトリガリング信号によって示されうる。例えば、測距プロシージャに携わるデバイス以外のデバイスが、無認可無線周波数スペクトル帯域を使用していることがある。したがって、デバイス識別子は、測距プロシージャに携わるデバイスが、無認可無線周波数スペクトル帯域におけるどの信号が測距プロシージャを対象としているかを決定することを可能にしうる。トリガリング信号（例えば、ＬＴＥ−Ｄ発見メッセージ）にデバイス識別子を含めることは、測距プロシージャに携わるデバイスが、それらの測距プロシージャの一部でない測距信号を除去することを可能にしうる。
【００５０】
[0062]上で論じられたように、様々な情報要素がトリガリング信号に含まれうる（例えば、符号化されうる）。代わりとしてまたは加えて、様々な情報要素が、トリガリング信号から推論されうる。例えば、トリガリング信号におけるシーケンスは、情報に対する予め定義されたマッピングを示すことができる（例えば、そのシーケンスは、トリガリング信号から２秒後に、５ＧＨｚ帯域３６で、８０ＭＨｚの帯域幅で、および重複する帯域幅なしで５回の８０ＭＨｚ分のインクリメントを使用するチャネルスティッチングを用いて、測距信号を送信するためにマップすることができる）。
【００５１】
[0063]いくつかの態様では、トリガリング信号が、基地局によって送信されうる（例えば、第１の通信２１５がデバイス２０５と第２のデバイス２１０との間に生じる代わりに、第１のデバイス２０５と第２のデバイス２１０の両方によって受信されうる）。そのようなケースでは、トリガリング信号は、ユーザ機器（ＵＥ）間の測距プロシージャを調整するためのパラメータ（複数を含む）を提供することができる。トリガリング信号によって提供されるパラメータは、ＵＥによる測距プロシージャの実行のためのスケジュールでありうる。いくつかのケースでは、そのスケジュールは、ＵＥによる測距プロシージャの周期的実行を示すことができる。いくつかのケースでは、ＵＥによって実行される測距プロシージャの測距測定の結果は、基地局に報告されうる。
【００５２】
[0064]いくつかの態様では、基地局は、認可無線周波数スペクトル帯域を用いるよりも高い正確さで測距プロシージャ（複数を含む）を実行するために無認可無線周波数スペクトル帯域において測距信号（複数を含む）をスケジュールおよび送信（例えば、ブロードキャスト）することができる。さらに、基地局は、他の基地局のスケジュールに関する情報を受信および／または提供することができる。
【００５３】
[0065]図２Ｂは、本開示の様々な態様にしたがった、測距プロシージャのためのデバイス間の通信の例２５０を例示する図を図示する。一インプリメンテーションでは、図２Ｂは、第１のデバイス２０５−ａ（デバイスＡ）と第２のデバイス２１０−ａ（デバイスＢ）との間の通信を例示する。第１のデバイス２０５−ａおよび第２のデバイス２１０−ａは、図１の基地局１０５、図１のＵＥ１１５、またはそれらの組合せの例のような、図１のワイヤレス通信システム１００の一部でありうる。第１のデバイス２０５−ａのための第１のタイムラインｔＡは、δＡがドリフトを表し、ωＡが対応するローカルクロックのオペレーティング周波数を表す状態で、第１のデバイス２０５−ａのローカルクロックによって決定されうる。第２のデバイス２１０−ａのための第２のタイムラインｔＢは、δＢがドリフトを表し、ωＢが対応するローカルクロックのオペレーティング周波数を表す状態で、第２のデバイス２１０−ａのローカルクロックによって決定されうる。
【００５４】
[0066]図２Ｂは、第１の出発時間（ＴＯＤ１）で第１のデバイス２０５−ａから送信され、第１の到着時間（ＴＯＡ１）で第２のデバイス２１０−ａによって受信される第１の測距信号２２５を例示する。第１のデバイス２０５−ａと第２のデバイス２１０−ａとの間の第１の測距信号２２５の送信のためにかかる時間は、第１の到着時間（ＴＯＡ１）と、それに加えて、第２のデバイス２１０−ａのローカルクロックに関連付けられたいくらかの誤差コンポーネント（ε１）を使用して、推定されうる。第１のデバイス２０５−ａおよび第２のデバイス２１０−ａが同期される（例えば、同期されたローカルクロック）場合、到着時間の推定値（ｔ１＝ＴＯＡ１＋ε１）は、第１のデバイス２０５−ａと第２のデバイス２１０−ａとの間の距離を計算するか、そうでなければ決定するために、出発時間（ＴＯＤ１）とともに使用されうる。第２のデバイス２１０−ａは、第１の測距信号２２５から第１の到着時間（ＴＯＡ１）を推定することができ、第１のデバイス２０５−ａから、または基地局１０５（図示せず）から第１の出発時間（ＴＯＤ１）を取得することができる。
【００５５】
[0067]第１のデバイス２０５−ａおよび第２のデバイス２１０−ａが同期されない（例えば、異なる時間および／またはオペレーティング周波数を有するローカルクロック）場合、第２の測距信号２３０は、第２の出発時間（ＴＯＤ２）で第２のデバイス２１０−ａから送信され、第２の到着時間（ＴＯＡ２）で第１のデバイス２０５−ａによって受信されうる。第１のデバイス２０５−ａと第２のデバイス２１０−ａとの間の第２の測距信号２３０の送信のためにかかる時間は、第２の到着時間（ＴＯＡ２）と、それに加えて、第１のデバイス２０５−ａのローカルクロックに関連付けられたいくらかの誤差コンポーネント（ε２）を使用して、推定されうる。両方の到着時間の推定値（ｔ１＝ＴＯＡ１＋ε１およびｔ２＝ＴＯＡ２＋ε２）は、往復時間（ＲＴＴ）を、それにより第１のデバイス２０５−ａと第２のデバイス２１０−ａとの間の距離を計算するか、そうでなければ決定するために、両方の出発時間（ＴＯＤ１およびＴＯＤ２）とともに使用されうる。第１のデバイス２０５−ａは、第２のデバイス２１０−ａに第１の出発時間（ＴＯＤ１）を送信することができ、第２のデバイス２１０−ａは、第１のデバイス２０５−ａに第２の出発時間（ＴＯＤ２）を送信することができる。
【００５６】
[0068]図２Ｂで図示されていないけれども、複数のデバイス（例えば、第１のデバイス２０５−ａ、第２のデバイス２１０−ａ、および少なくとも１つの他のデバイス）を有するネットワークで利用可能な複数の到着時間（ＴＯＡ）測定値が存在する場合、それらの到着時間の測定値は、複数のデバイスが同期されていない場合でさえ、知られていない位置（複数を含む）のデバイス（複数を含む）（device(s)with unknown position(s)）の位置（複数を含む）を推定するために使用（例えば、一緒に処理）されうる。例えば、第１のデバイス２０５−ａは、複数のデバイスからの到着時間の測定値をブロードキャストすることができる。第２のデバイス２１０−ａは、その位置を決定するために、それ自身の到着時間の測定値、および少なくとも１つの他のデバイス（例えば、第１のデバイス２０５−ａ）から取得された到着時間の測定値を使用することができる。
【００５７】
[0069]次に図３Ａに移ると、本開示の様々な態様にしたがった、ワイヤレス通信のために使用されうる装置１１５−ｄのブロック図３００−ａが図示される。いくつかのインプリメンテーションでは、装置１１５−ｄが、図１を参照して説明されたＵＥ１１５、ならびに／あるいは図２Ａおよび／または２Ｂを参照して説明されたデバイス２０５、２１０の様々な態様の例でありうる。装置１１５−ｄはまた、プロセッサでもありうる。装置１１５−ｄは、受信機３０５、通信マネージャ３１０、および／または送信機３１５を含むことができる。これらのコンポーネントの各々は、互いに通信状態にありうる。
【００５８】
[0070]装置１１５−ｄのコンポーネントは、個々または集合的に、ハードウェアにおいて適用可能な機能のうちのいくつかまたはすべてを実行するように適合された１つまたは複数の特定用途向け集積回路（ＡＳＩＣ）を使用してインプリメントされうる。代わりとして、それらの機能は、１つまたは複数の集積回路上で、１つまたは複数の他の処理ユニット（またはコア）によって実行されうる。他の実施形態では、他のタイプの集積回路（例えば、構造化／プラットフォームＡＳＩＣ、フィールドプログラマブルゲートアレイ（ＦＰＧＡ）、および他の半カスタムＩＣ）が使用され得、それらは、当該技術分野では既知のいずれの方法でもプログラムされうる。各ユニットの機能はまた、メモリにおいて具現化され、１つまたは複数の汎用またはアプリケーション特有のプロセッサによって実行されるようにフォーマットされた命令で、全体的または部分的に、インプリメントされうる。
【００５９】
[0071]いくつかのインプリメンテーションでは、受信機３０５が、第１の無線周波数スペクトル帯域および／または第２の無線周波数スペクトル帯域において送信を受信するように動作可能な無線周波数（ＲＦ）受信機のような、ＲＦ受信機でありうる、またはＲＦ受信機を含むことができる。いくつかのケースでは、第１の無線周波数スペクトル帯域は、認可無線周波数スペクトル帯域（例えば、ＬＴＥ／ＬＴＥ−Ａ無線周波数スペクトル帯域）であり得、および／または第２の無線周波数スペクトル帯域は、無認可無線周波数スペクトル帯域でありうる。いくつかのケースでは、受信機３０５は、第１の無線周波数スペクトル帯域および第２の無線周波数スペクトル帯域に対して別個のＲＦ受信機を含むことができる。受信機３０５は、図１を参照して説明されたワイヤレス通信システム１００の通信リンクのような、第１の無線周波数スペクトル帯域および／または第２の無線周波数スペクトル帯域を含むワイヤレス通信システムの通信リンク（複数を含む）（例えば、物理チャネル）を介して様々なタイプのデータおよび／または制御信号（例えば、送信）を受信するために使用されうる。
【００６０】
[0072]いくつかのインプリメンテーションでは、送信機３１５が、第１の無線周波数スペクトル帯域および／または第２の無線周波数スペクトル帯域において送信するように動作可能なＲＦ送信機のような、ＲＦ送信機でありうる、またはＲＦ送信機を含むことができる。いくつかのケースでは、送信機３１５は、第１の無線周波数スペクトル帯域および第２の無線周波数スペクトル帯域に対して別個のＲＦ送信機を含むことができる。送信機３１５は、図１を参照して説明されたワイヤレス通信システム１００の通信リンクのような、ワイヤレス通信システムの通信リンク（複数を含む）（例えば、物理チャネル）を介して様々なタイプのデータおよび／または制御信号（例えば、送信）を送信するために使用されうる。
【００６１】
[0073]いくつかのインプリメンテーションでは、通信マネージャ３１０が、第１の無線周波数スペクトル帯域および／または第２の無線周波数スペクトル帯域を介したワイヤレス通信を管理するために使用されうる。例えば、通信マネージャ３１０は、第１の無線周波数スペクトル帯域を使用する、発見、アソシエーション、および／または測距プロシージャのための通信を管理するために使用されうる。さらに、通信マネージャ３１０は、第２の無線周波数スペクトル帯域を使用する測距プロシージャのための通信を管理するために使用されうる。
【００６２】
[0074]本明細書で論じられているように、受信機３０５は、第１の無線周波数スペクトル帯域（認可無線周波数スペクトル帯域）を介して信号を受信することができる。受信された信号は、トリガリング信号であり得、通信マネージャ３１０に、送信機３１５および／または受信機３０５を使用して、第２の無線周波数スペクトル帯域（無認可無線周波数スペクトル帯域）を使用する測距プロシージャを行わせることができる。
【００６３】
[0075]代わりとしてまたは加えて、通信マネージャ３１０は、第１の無線周波数スペクトル帯域（認可無線周波数スペクトル帯域）を使用する発見、アソシエーション、および／または測距プロシージャの一部としてトリガリング信号を送るために送信機３１５を使用することができる。重ねて、トリガリング信号は、通信マネージャ３１０に、第２の無線周波数スペクトル帯域（無認可無線周波数スペクトル帯域）を使用する測距プロシージャを行わせることができる。
【００６４】
[0076]本明細書で論じられているように、トリガリング信号は、第２の無線周波数スペクトル帯域（無認可無線周波数スペクトル帯域）を使用する測距プロシージャを実行するための情報を含むか、そうでなければ示すことができる。したがって、いくつかのインプリメンテーションでは、通信マネージャ３１０が、送信機３１５経由で送られたトリガリング信号においてそのような情報を含めるか、そうでなければ示すように構成されうる。さらに通信マネージャ３１０は、受信された信号に含まれるそのような情報を決定するように構成されうる。例えば、通信マネージャ３１０は、受信された信号の情報要素に含まれる情報を識別するために、受信された信号を解析する（例えば、信号パーサを含む、または制御する）ように構成されうる。代わりとしてまたは加えて、通信マネージャ３１０は、受信された信号を、そこの情報を取得するために復号する（例えば、信号デコーダを含む、または制御する）ように構成されうる。さらに、本明細書で論じられているように、通信マネージャ３１０は、測距プロシージャを実行するための情報を取得するために、受信された信号に含まれる情報を使用（例えば、マップする）ように構成されうる。
【００６５】
[0077]図３Ｂは、本開示の様々な態様にしたがった、ワイヤレス通信のために使用されうる装置１１５−ｅのブロック図３００−ｂを図示する。いくつかのインプリメンテーションでは、装置１１５−ｅが、図３Ａを参照して上で説明された装置１１５−ｄ、および／または図１を参照して説明されたＵＥ１１５の様々な態様の例でありうる。装置１１５−ｅはまた、プロセッサでもありうる。装置１１５−ｅは、受信機３０５−ａ、通信マネージャ３１０−ａ、および／または送信機３１５−ａを含むことができる。これらのコンポーネントの各々は、互いに通信状態にありうる。
【００６６】
[0078]装置１１５−ｅのコンポーネントは、個々または集合的に、ハードウェアにおいて適用可能な機能のうちのいくつかまたはすべてを実行するように適合された１つまたは複数のＡＳＩＣを使用してインプリメントされうる。代わりとして、それらの機能は、１つまたは複数の集積回路上で、１つまたは複数の他の処理ユニット（またはコア）によって実行されうる。他の実施形態では、他のタイプの集積回路（例えば、構造化／プラットフォームＡＳＩＣ、ＦＰＧＡ、および他の半カスタムＩＣ）が使用され得、それらは、当該技術分野では既知のいずれの方法でもプログラムされうる。各ユニットの機能はまた、メモリにおいて具現化され、１つまたは複数の汎用またはアプリケーション特有のプロセッサによって実行されるようにフォーマットされた命令で、全体的または部分的に、インプリメントされうる。
【００６７】
[0079]いくつかのインプリメンテーションでは、受信機３０５−ａおよび送信機３１５−ａは、図３Ａを参照して上で説明されたような、受信機３０５および送信機３１５それぞれと同様に構成されうる。
【００６８】
[0080]いくつかのインプリメンテーションでは、通信マネージャ３１０−ａは、図３Ａを参照して上で説明された通信マネージャ３１０と同様のオペレーションを実行するように構成されうる。さらに、通信マネージャ３１０−ａは、例えば、ＬＴＥ−Ｄ発見のための発見オペレーションを制御するように構成される発見プロシージャコントローラ３２０を含むことができる。したがって、通信マネージャ３１０−ａは、発見プロシージャコントローラ３２０を使用して、第１の無線周波数スペクトル帯域（認可無線周波数スペクトル帯域）を介した通信経由で発見プロセスをインプリメントするように構成されうる。
【００６９】
[0081]加えてまたは代わりとして、通信マネージャ３１０−ａは、例えば、測距するための測距オペレーションを制御するように構成される測距プロシージャコントローラ３２５を含むことができる。したがって、通信マネージャ３１０−ａは、測距プロシージャコントローラ３２５を使用して、第２の無線周波数スペクトル帯域（無認可無線周波数スペクトル帯域）を介した通信経由で測距プロセスをインプリメントするように構成されうる。
【００７０】
[0082]上で論じられたように、通信マネージャ３１０−ａは、第１の無線周波数スペクトル帯域（認可無線周波数スペクトル帯域）を介して（送信機３１５−ａまたは受信機３０５−ａ経由で）トリガリング信号を送信または受信する。トリガリング信号を送信するケースでは、通信マネージャ３１０−ａは、トリガリング信号として、発見プロシージャコントローラ３２０によって生成された通信を用いることができる。したがって、トリガリング信号は、発見プロシージャコントローラ３２０よって行われる発見プロセスの一部として送信機３１５−ａ経由で送信されうる。
【００７１】
[0083]トリガリング信号の送信または受信は、通信マネージャ３１０−ａに、第２の無線周波数スペクトル帯域（無認可無線周波数スペクトル帯域）を使用する測距プロシージャを開始させることができる。したがって、通信マネージャ３１０−ａは、測距プロシージャコントローラ３２５に、第２の無線周波数スペクトル帯域（無認可無線周波数スペクトル帯域）を介した測距プロシージャを行うように命令することができる。上で論じられたように、通信マネージャ３１０−ａは、（例えば、通信マネージャ３１０−ａがトリガリング信号を生成するか、トリガリング信号のための信号を提供するときのような、そのような情報が通信マネージャ３１０−ａにとってすでに既知でない限り）トリガリング信号から測距プロシージャのための情報を取得または決定することができ、別のデバイス（複数を含む）との調整された測距プロシージャを行うために測距プロシージャコントローラ３２５にその情報を提供することができる。
【００７２】
[0084]図３Ｃは、本開示の様々な態様にしたがった、ワイヤレス通信において使用するための装置１１５−ｆのブロック図３００−ｃを図示する。いくつかのインプリメンテーションでは、装置１１５−ｆが、図３Ａおよび／または３Ｂを参照して上で説明された装置１１５−ｄ、１１５−ｅ、ならびに／あるいは図１を参照して説明されたＵＥ１１５の様々な態様の例でありうる。装置１１５-ｆはまた、プロセッサでもありうる。装置１１５−ｆは、受信機３０５−ｂ、通信マネージャ３１０−ｂ、送信機３１５−ｂ、発見プロシージャコントローラ３２０−ａ、および／または測距プロシージャコントローラ３２５−ａを含むことができる。これらのコンポーネントの各々は、互いに通信状態にありうる。
【００７３】
[0085]装置１１５-ｆのコンポーネントは、個々または集合的に、ハードウェアにおいて適用可能な機能のうちのいくつかまたはすべてを実行するように適合された１つまたは複数のＡＳＩＣを使用してインプリメントされうる。代わりとして、それらの機能は、１つまたは複数の集積回路上で、１つまたは複数の他の処理ユニット（またはコア）によって実行されうる。他の実施形態では、他のタイプの集積回路（例えば、構造化／プラットフォームＡＳＩＣ、ＦＰＧＡ、および他の半カスタムＩＣ）が使用され得、それらは、当該技術分野では既知のいずれの方法でもプログラムされうる。各ユニットの機能はまた、メモリにおいて具現化され、１つまたは複数の汎用またはアプリケーション特有のプロセッサによって実行されるようにフォーマットされた命令で、全体的または部分的に、インプリメントされうる。
【００７４】
[0086]いくつかのインプリメンテーションでは、受信機３０５−ｂおよび送信機３１５−ｂが、図３Ａを参照して上で説明されたような、受信機３０５および送信機３１５それぞれと同様に構成されうる。
【００７５】
[0087]いくつかのインプリメンテーションでは、通信マネージャ３１０―ｂは、図３Ａを参照して上で説明された通信マネージャ３１０、および／または図３Ｂを参照して上で説明された通信マネージャ３１０−ａと同様のオペレーションを実行するように構成されうる。しかしながら、この例では、発見プロシージャコントローラ３２０−ａおよび測距プロシージャコントローラ３２５−ａが通信マネージャ３１０−ｂとは別個の要素として図示されている。
【００７６】
[0088]本明細書で論じられているように、装置１１５−ｆは、（送信機３１５−ｂと協同した測距プロシージャコントローラ３２５−ａおよび／または通信マネージャ３１０−ｂを使用して）測距信号をブロードキャストするように構成されうる。応答して、受信機３０５−ｂは、複数のデバイスから複数の信号（例えば、測距信号）を受信することができる。
【００７７】
[0089]装置１１５−ｆは、受信機３０５−ｂ、測距プロシージャコントローラ３２５−ａ、および／または通信マネージャ３１０−ｂと通信状態にある位置推定器３３０を含むことができる。図示されているように別個の要素でありうるか、または通信マネージャ３１０−ｂまたは受信機３０５−ｂのサブコンポーネントとして組み込まれうる、位置推定器３３０は、ブロードキャストされた測距信号に応答して受信された複数の信号（または、少なくとも複数の信号に含まれるか、示される情報）を受信するか、そうでなければ取得するように構成されうる。位置推定器３３０は、装置１１５−ｆと複数のデバイスとの間の距離、および／または装置１１５−ｆの現在の位置を決定（例えば、計算）するために、複数のデバイスの既知のロケーションまたは位置、出発時間、到着時間のような複数の信号に含まれる／示される情報を使用することができる。代わりとして、測距プロシージャコントローラ３２５−ａは、距離を決定することができ、その距離を、装置１１５−ｆの現在の位置を決定するために位置推定器３３０に提供することができる。
【００７８】
[0090]代わりとしてまたは加えて、位置推定器３３０は、単一のデバイスから、複数のデバイスからの複数の信号に関する情報を受信するように構成されうる。例えば、単一のデバイスは、スケジュールにしたがって、予め定義された期間にわたって複数の信号（例えば、複数の測距信号）を受信するように構成されうる。単一のデバイスは、今度は、スケジュールにおける予め定義された時間に１つの信号を送信することができる。その１つの信号は、受信された複数の信号のすべてに関する測定結果を含むことができる。位置推定器３３０は、装置１１５−ｆの現在の位置を決定するためにそれらの測定結果を使用することができる。
【００７９】
[0091]図４は、本開示の様々な態様にしたがった、ワイヤレス通信のために構成されたＵＥ１１５−ｇ用のアーキテクチャの例のブロック図４００を図示する。ＵＥ１１５−ｇは、様々な構成を有することができ、パーソナルコンピュータ（例えば、ラップトップコンピュータ、ネットブックコンピュータ、タブレットコンピュータ等）、セルラ電話（例えば、スマートフォン）、ＰＤＡ、デジタルビデオレコーダ（ＤＶＲ）、インターネット家電（internet appliance）、ゲーム機、電子リーダ等を含みうる、またはそれらの一部でありうる。ＵＥ１１５−ｇは、いくつかのケースにおいて、モバイルオペレーションを容易にするために、小型バッテリのような内部電源（図示せず）を有することができる。いくつかの実施形態では、装置１１５−ｇが、図３Ａ、３Ｂ、および／または３Ｃを参照して説明された装置１１５−ｄ、１１５−ｅ、および／または１１５−ｆ、ならびに／あるいは図１を参照して説明されたＵＥ１１５、１１５−ａ、１１５−ｂ、および／または１１５−ｃの様々な態様の例でありうる。ＵＥ１１５ーｇは、図１、２Ａ、２Ｂ、３Ａ、３Ｂ、および／または３Ｃを参照して説明された特徴および機能のうちの少なくともいくつかをインプリメントするように構成されうる。ＵＥ１１５−ｇは、図１を参照して説明された基地局１０５と通信するように構成されうる。
【００８０】
[0092]ＵＥ１１５−ｇは、プロセッサ４０５、メモリ４１０、通信マネージャ４２０、測距プロシージャマネージャ４２５、発見プロシージャマネージャ４３０、位置推定器４３５、スケジューラ４４０、少なくとも１つのトランシーバ４４５、信号パーサ４６０、信号デコーダ４６５、および／または少なくとも１つのアンテナ４５０を含むことができる。これらのコンポーネントの各々は、バス４５５を介して、直接的または間接的に、互いに通信状態にありうる。
【００８１】
[0093]メモリ４１０は、ランダムアクセスメモリ（ＲＡＭ）および読取専用メモリ（ＲＯＭ）を含むことができる。メモリ４１０は、実行されるとき、プロセッサ４０５に、認可無線周波数スペクトル帯域および無認可無線周波数スペクトル帯域を介して通信するための、本明細書で説明されている様々な機能を実行させるように構成される命令を含むコンピュータ可読、コンピュータによって実行可能なソフトウェア（ＳＷ）コード４１５を記憶することができる。代わりとして、ソフトウェアコード４１５は、プロセッサ４０５によって直接実行可能でないことがあるが、（例えば、コンパイルおよび実行されるとき）ＵＥ１１５−ｇに、本明細書で説明されている様々な機能を実行させるように構成されうる。
【００８２】
[0094]プロセッサ４０５は、インテリジェントハードウェアデバイス、例えば、中央処理ユニット（ＣＰＵ）、マイクロコントローラ、ＡＳＩＣ等を含むことができる。プロセッサ４０５は、アンテナ（複数を含む）４５０を通じた送信のために、トランシーバ（複数を含む）４４５を通じて受信された情報、および／またはトランシーバ（複数を含む）４４５に送られるべき情報を処理することができる。プロセッサ４０５は、単独で、あるいは通信マネージャ４２０、測距プロシージャマネージャ４２５、発見プロシージャコントローラ４３０、および／またはスケジューラ４４０と接続して、認可無線周波数スペクトル帯域を介して、および無認可無線周波数スペクトル帯域を介して通信する様々な態様を扱いうる。
【００８３】
[0095]トランシーバ（複数を含む）４４５は、パケットを変調して、その変調されたパケットを送信のためにアンテナ（複数を含む）４５０に提供し、アンテナ（複数を含む）４５０から受信されたパケットを復調するように構成されたモデムを含むことができる。トランシーバ（複数を含む）４４５は、いくつかのケースにおいて、１つまたは複数の送信機および１つまたは複数の別個の受信機としてインプリメントされうる。トランシーバ（複数を含む）４４５は、第１の無線周波数スペクトル帯域および／または第２の無線周波数スペクトル帯域における通信をサポートすることができる。トランシーバ（複数を含む）４４５は、アンテナ（複数を含む）４５０経由で、図１を参照して説明された基地局（複数を含む）１０５と双方向で通信するように構成されうる。ＵＥ１１５−ｇが単一のアンテナ４５０を含むことができる一方で、ＵＥ１１５−ｇが複数のアンテナ４５０を含むことができるインプリメンテーションが存在しうる。
【００８４】
[0096]通信マネージャ４２０は、認可無線周波数スペクトル帯域における、および無認可無線周波数スペクトル帯域におけるワイヤレス通信に関連する、図１、２Ａ、２Ｂ、３Ａ、３Ｂおよび／または３Ｃを参照して説明された特徴および／または機能のうちのいくつかまたはすべてを実行および／または制御するように構成されうる。例えば、通信マネージャ４２０は、距離／疑似距離測定に関して所望の正確さのレベルに達するために、測距プロシージャマネージャ４２５に、無認可無線周波数スペクトル帯域を介した通信（例えば、測距信号）を含む測距オペレーションを実行させるためのトリガリングスキームをインプリメントするように構成されうる。通信マネージャ４２０は、本明細書で説明されているように、（認可無線周波数スペクトル帯域を介して送信／受信された）トリガリング信号を提供または取得するために、発見プロシージャマネージャ４３０を制御するように構成されうる。通信マネージャ４２０は、図３Ａ、３Ｂ、および／または３Ｃを参照して説明された通信マネージャ３１０、３１０−ａ、および／または３１０−ｂの様々な態様の例でありうる。通信マネージャ４２０、またその一部は、プロセッサを含むことができる、および／または通信マネージャ４２０の機能のうちのいくつかまたはすべては、プロセッサ４０５によって、および／またはプロセッサ４０５と接続して実行されうる。
【００８５】
[0097]本明細書で説明されているように、トリガリング信号は、無認可無線周波数スペクトル帯域を使用する測距プロシージャを実行するための情報を含むか、そうでなければ示すことができる。信号パーサ４６０は、受信された信号の情報要素に含まれる情報を識別するために、受信された信号を解析するように構成されうる。デコーダ４６５は、受信された信号を、そこの情報を取得するために復号するように構成されうる。代わりとして、信号パーサ４６０およびデコーダ４６５は、通信マネージャ４２０の一部としてインプリメントされうる。
【００８６】
[0098]図５は、様々な実施形態にしたがってワイヤレス通信のために構成されうる通信システム５００の一部として、基地局１０５−ａ、例えばｅＮＢ用のアーキテクチャの例を例示する図を図示する。通信システム５００は、図１で描かれているワイヤレス通信システム１００の態様の例でありうる。さらに、基地局１０５−ａの態様は、図１の基地局１０５でインプリメントされうる。基地局１０５−ａは、プロセッサ５０５、メモリ５１０、通信マネージャ５２０、測距プロシージャマネージャ５２５、スケジューラ５３０、位置推定器５３５、ＵＥマネージャ５４０、トランシーバ（複数を含む）５４５、およびアンテナ（複数を含む）５５０を含むことができ、これらは各々、（例えば、１つまたは複数のバス５５５を介して）直接的または間接的に、互いに通信状態にありうる。トランシーバ（複数を含む）５４５は、アンテナ（複数を含む）５５０経由で、マルチモードモバイルデバイスでありうるユーザ機器１１５−ｈと双方向で通信するように構成されうる。トランシーバ（複数を含む）５４５（および／または基地局１０５−ａの他のコンポーネント）はまた、１つまたは複数のネットワークと双方向に通信するように構成されうる。いくつかのケースでは、基地局１０５−ａは、ネットワーク通信コントローラ５６０を通じてコアネットワーク１３０−ａと通信することができる。基地局１０５−ａは、ｅノードＢ基地局、ホームｅノードＢ基地局、ノードＢ基地局、および／またはホームノードＢ基地局の例で有りうる。
【００８７】
[0099]基地局１０５−ａはまた、基地局１０５−ｂおよび基地局１０５−ｃのような、他の基地局１０５と通信することもできる。基地局１０５の各々は、異なる無線アクセス技術のような異なるワイヤレス通信技術を使用して、ＵＥ１１５−ｈと通信することができる。いくつかのケースでは、基地局１０５−ａが、基地局通信コントローラ５６５を使用して、基地局１０５−ｂおよび／または基地局１０５−ｃのような他の基地局と通信することができる。いくつかの実施形態では、基地局通信コントローラ５６５が、基地局１０５のうちのいくつかの間の通信を提供するために、ＬＴＥ／ＬＴＥ−Ａワイヤレス通信技術内のＸ２インターフェースを提供することができる。いくつかの実施形態では、基地局１０５−ａが、コアネットワーク１３０−ａを通じて他の基地局と通信することができる。
【００８８】
[0100]メモリ５１０は、ＲＡＭおよびＲＯＭを含むことができる。メモリ５１０はまた、実行されるとき、プロセッサ５０５に、本明細書で説明されている様々な機能（例えば、信号を生成、送信、受信および／または処理すること、スケジュールすること、距離および／または位置を決定すること等）を実行させるように構成される命令を含む、コンピュータ可読、コンピュータによって実行可能なソフトウェアコード５１５を記憶することができる。代わりとして、ソフトウェアコード５１５は、プロセッサ５０５によって直接実行可能ではないことがあるけれども、例えば、コンパイルおよび実行されるとき、コンピュータに、本明細書で説明されている機能を実行させるように構成されうる。
【００８９】
[0101]プロセッサ５０５は、例えば、インテル（登録商標）コーポレーションまたはＡＭＤ（登録商標）によって製造されたもののようなＣＰＵ、マイクロコントローラ、ＡＳＩＣ等のインテリジェントハードウェアデバイス（intelligent hardware devic）を含むことができる。
【００９０】
[0102]トランシーバ（複数を含む）５４５は、パケットを変調して、その変調されたパケットを送信のためにアンテナ（複数を含む）５５０に提供し、アンテナ（複数を含む）５５０から受信されたパケットを復調するように構成された１つまたは複数のモデムを含むことができる。基地局１０５−ａのいくつかの例が単一のアンテナ５５０を含むことができる一方で、基地局１０５−ａは、好ましくは、キャリアアグリゲーションをサポートすることができる複数のリンクのための複数のアンテナ５５０を含む。例えば、１つまたは複数のリンクは、ＵＥ１１５−ｈとのマクロ通信をサポートするために使用されうる。
【００９１】
[0103]通信マネージャ５２０は、ＵＥ１１５−ｈ、他の基地局１０５−ｂおよび１０５−ｃ、ならびにネットワーク１３０−ａとの通信を管理することができる。例として、通信マネージャ５２０は、バス５５５経由で、基地局１０５−ａの他のコンポーネントのいくつかまたはすべてと通信状態にある基地局１０５−ａのコンポーネントでありうる。代わりとして、通信マネージャ５２０の機能は、トランシーバ（複数を含む）５４５のコンポーネントとして、コンピュータプログラム製品として、および／またはプロセッサ５０５の１つまたは複数のコントローラ要素としてインプリメントされうる。
【００９２】
[0104]基地局１０５−ａのコンポーネントは、図１の基地局１０５に関して上で論じられた態様をインプリメントするように構成され得、簡潔さのために、ここでは繰り返されない。例えば、基地局１０５−ａは、本明細書で説明されている認可無線周波数スペクトル帯域を使用する、および無認可無線周波数スペクトル帯域を使用する測距オペレーションを容易にするための測距プロシージャマネージャ５２５を含むことができる。測距プロシージャマネージャ５２５は、本明細書で説明されているようなトリガリング信号を生成（し、トランシーバ（複数を含む）５４５およびアンテナ（複数を含む）５５０経由で送信）するように構成されうる。生成されたトリガリング信号は、本明細書で説明されているような、無認可無線周波数スペクトル帯域を使用する測距プロシージャを実行するための情報を含むことができる。例えば、スケジューラ５３０は、トリガリング信号を生成するためのスケジューリング情報を提供することができ、それは、基地局１０５−ａのための、他の基地局１０５のための、および／またはＵＥ１１５間の調整のためのスケジュールを示すことができる。
【００９３】
[0105]基地局１０５−ａは、個別のＵＥに関する情報（例えば、アイデンティティ、位置／ロケーション、能力、構成、ステータス等）を追跡するためのＵＥマネージャ５４０を含むことができ、本明細書で説明されているような、ＵＥ間の測距プロシージャを容易にすることができる。
【００９４】
[0106]図６は、本開示の様々な態様にしたがった、ワイヤレス通信のための方法６００の例を例示するフローチャートである。以下で説明される方法６００は、図１を参照して説明されたＵＥ１１５、ならびに／あるいは、図３Ａ、３Ｂ、３Ｃ、および／または４を参照して説明された装置１１５−ｄ、１１５−ｅ、１１５−ｆ、および／または１１５−ｇの態様にしたがって実行されうる。代わりとして、方法６００は、図１を参照して説明された基地局１０５、および／または図５を参照して説明された基地局１０５−ａの態様にしたがって実行されうる。いくつかのインプリメンテーションでは、そのようなＵＥ、装置、または基地局が、以下に説明される機能を実行するために、ＵＥ、装置、または基地局の機能的な要素を制御するための１つまたは複数のコードのセットを実行することができる。
【００９５】
[0107]ブロック６０５で、信号は、認可無線周波数スペクトル帯域を介して送信されうる。ブロック６１０で、デバイスは、信号の受信機を用いて無認可無線周波数スペクトル帯域を介した測距プロシージャに参加することができる。信号は、無認可無線周波数スペクトル帯域を介した測距プロシージャの実行をトリガするように構成されうる。上で説明されたように、トリガされた測距プロシージャは、トリガリング信号を送信したデバイスと、別のデバイス（複数を含む）との間で実行されうる。代わりとして、トリガされた測距プロシージャは、トリガリング信号を受信するデバイスと、別のデバイス（複数を含む）（これもまたトリガリング信号を受信していることがある）との間で実行されうる。そのような方法では、認可無線周波数スペクトル帯域を使用する発見または測距を従来の方法で実行しうるデバイスは、より高い正確さでの測距および／または位置決定のために無認可無線周波数スペクトル帯域を使用することを行わされうる。
【００９６】
[0108]図７は、本開示の様々な態様にしたがった、ワイヤレス通信のための方法７００の別の例を例示するフローチャートである。上で説明された方法６００と同様に、方法７００は、本明細書で説明されているＵＥ１１５または基地局１０５の態様にしたがって実行されうる。
【００９７】
[0109]ブロック７０５で、発見または測距信号は、デバイスによって送信されうる。この信号は、認可無線周波数スペクトル帯域を使用して送信されたトリガリング信号でありうるか、または受信されたトリガリング信号に応答して、無認可無線周波数スペクトル帯域を使用して送信されうる。その後、ブロック７１０で、複数のデバイスからの複数の測距信号は、送信された信号に応答して無認可無線周波数スペクトル帯域を介してデバイスによって受信されうる。
【００９８】
[0110]受信された測距信号は、複数のデバイスからの測距測定値、および複数のデバイスの位置／ロケーションを含むことができる。ブロック７１５で、デバイスの測位情報（例えば、位置またはロケーション）は、測距測定値および位置／ロケーションを使用して決定されうる。
【００９９】
[0111]任意で、ブロック７２０で、デバイスは、（例えば、デバイスからの測距信号とともに）受信された複数の測距信号に関連付けられた測距測定値をブロードキャストすることができる。したがって、ブロードキャストされた信号は、別のデバイスの位置／ロケーションを決定するためにそのデバイスによって使用されうる情報を提供することができる。
【０１００】
[0112]図８は、本開示の様々な態様にしたがった、ワイヤレス通信のための方法８００のまた別の例を例示するフローチャートである。上で説明された方法６００および７００と同様に、方法８００は、本明細書で説明されているＵＥ１１５または基地局１０５の態様にしたがって実行されうる。
【０１０１】
[0113]ブロック８０５で、発見または測距信号は、第１のデバイスによって送信されうる。この信号は、認可無線周波数スペクトル帯域を使用して送信されたトリガリング信号でありうるか、または受信されたトリガリング信号に応答して、無認可無線周波数スペクトル帯域を使用して送信されうる。その後、ブロック８１０で、第１のデバイスは、無認可無線周波数スペクトル帯域を介した測距プロシージャを実行するための情報を決定することができる。上で説明されたように、この情報は、発見／測距信号に含まれうる、および／または発見／測距信号によって示されうる。
【０１０２】
[0114]次に、ブロック８１５で、第１のデバイスは、無認可無線周波数スペクトル帯域を使用する第２のデバイスとの測距プロシージャを実行することができる。任意で、ブロック８２０で、第１のデバイスは、例えば基地局に、測距プロシージャの結果（例えば、距離／疑似距離測定値（複数を含む））を報告することができる。そのようにすることは、基地局を含むネットワーク中の他のデバイスが、例えば位置／ロケーションを決定するために、それらの結果を使用することを可能にしうる。
【０１０３】
[0115]図９は、本開示の様々な態様にしたがった、ワイヤレス通信のための方法９００のさらに別の例を例示するフローチャートである。上で説明された方法６００、７００、および８００と同様に、方法９００は、本明細書で説明されているＵＥ１１５または基地局１０５の態様にしたがって実行されうる。
【０１０４】
[0116]ブロック９０５で、信号は、デバイスによって認可無線周波数スペクトル帯域を介して受信されうる。その後、ブロック９１０で、デバイスは、受信された信号に少なくとも部分的に基づいて、無認可無線周波数スペクトル帯域を介した測距プロシージャを実行することができる。したがって、受信された信号は、本明細書で説明されているような、トリガリング信号でありうる。さらに、無認可無線周波数スペクトル帯域を使用して実行される測距プロシージャは、認可無線周波数スペクトル帯域を使用して可能なものよりも、より良好な正確さを距離／疑似距離測定に提供することができる。
【０１０５】
[0117]図１０は、本開示の様々な態様にしたがった、ワイヤレス通信のための方法１０００のさらなる例を例示するフローチャートである。上で説明された方法６００、７００、８００、および９００と同様に、方法１０００は、本明細書で説明されているＵＥ１１５または基地局１０５の態様にしたがって実行されうる。
【０１０６】
[0118]ブロック１００５で、ブロードキャストされた信号は、デバイスによって認可無線周波数スペクトル帯域を介して受信されうる。その後、ブロック１０１０で、デバイスは、受信されたブロードキャストされた信号によってトリガされた、無認可無線周波数スペクトル帯域を介した測距プロシージャを実行することができる。
【０１０７】
[0119]いくつかのケースでは、受信されたブロードキャストされた信号は、他のデバイスからの距離／疑似距離測定結果、それに加えて他のデバイスの位置を含むことができる。したがって、ブロック１０１５で、デバイスは、実行された測距プロシージャからの距離疑似距離測定結果およびブロードキャストされた信号に含まれる情報を使用して、その位置を決定することができる。
【０１０８】
[0120]添付の図面に関連して上で述べられた発明を実施するための形態は、実例的な実施形態を説明しており、インプリメントされうる、または請求項の範囲内にある他には存在しない実施形態を表してはいない。「例（example）」または「実例的（exemplary）」という用語は、本説明全体を通じて使用されるとき、「好ましい」または「他の実施形態よりも有利である」ということではなく、「例、実例、あるいは例示としての役割をする」を意味する。発明を実施するための形態は、説明されている技法の理解を提供する目的で、具体的な詳細を含む。しかしながら、これらの技法は、これらの特定の詳細なしに実施されうる。いくつかの事例では、周知の構造およびデバイスが、説明されている実施形態の概念を曖昧にすることを避けるために、ブロック図形式で示されている。
【０１０９】
[0121]情報および信号は、様々な異なる技術および技法のうちのいずれを用いても表わされうる。例えば、上記の説明全体を通じて参照されうるデータ、命令、コマンド、情報、信号、ビット、シンボル、およびチップは、電圧、電流、電磁波、磁場または磁性粒子、光学場または光学粒子、あるいはそれらのいずれの組み合わせによっても表されうる。
【０１１０】
[0122]本明細書における開示に関連して説明されている様々な例示的なブロックおよびモジュールは、汎用プロセッサ、デジタルシグナルプロセッサ（ＤＳＰ）、ＡＳＩＣ、ＦＰＧＡまたは他のプログラマブル論理デバイス、離散ゲートまたはトランジスタ論理回路、離散ハードウェアコンポーネント、あるいは本明細書で説明されている機能を実行するように設計されたそれらのいずれの組み合わせを用いてもインプリメントまたは実行されうる。汎用プロセッサはマイクロプロセッサでありうるが、代わりとして、プロセッサは、いずれの従来のプロセッサ、コントローラ、マイクロコントローラ、またはステートマシンでもありうる。プロセッサはまた、コンピューティングデバイスの組合せ、例えば、ＤＳＰおよびマイクロプロセッサの組合せ、複数のマイクロプロセッサ、ＤＳＰコアと連携した１つまたは複数のマイクロプロセッサ、あるいはいずれの他のそのような構成としてもインプリメントされうる。
【０１１１】
[0123]本明細書で説明されている機能は、ハードウェア、プロセッサによって実行されるソフトウェア、ファームウェア、またはそれらのいずれの組み合わせでもインプリメントされうる。プロセッサによって実行されるソフトウェアにおいてインプリメントされる場合、機能は、コンピュータ可読媒体上で、１つまたは複数の命令またはコードとして記憶または送信されうる。他の例およびインプリメンテーションは、本開示および添付の請求項の範囲内にある。例えば、ソフトウェアの性質に起因して、上記に説明された機能は、プロセッサによって実行されるソフトウェア、ハードウェア、ファームウェア、ハードワイヤリング、またはこれらのうちのいずれのものの組合せを使用してもインプリメントされうる。機能を実現する特徴はまた、様々な位置において物理的に位置付けされ得、それは、機能の一部が異なる物理的な位置においてインプリメントされるように分散されることを含む。また、請求項を含む本明細書で使用される場合、項目のリスト（例えば、「のうちの少なくとも１つ」または「のうちの１つまたは複数」のようなフレーズで始まる項目のリスト）において使用されるような「または（or）」は、例えば「Ａ、Ｂ、またはＣのうちの少なくとも１つ」のリストが、Ａ、またはＢ、またはＣ、またはＡＢ、またはＡＣ、またはＢＣ、またはＡＢＣ（すなわち、ＡおよびＢおよびＣ）を意味するような離接的なリスト（disjunctive list）を示す。
【０１１２】
[0124]コンピュータ可読媒体は、ある場所から別の場所へのコンピュータプログラムの転送を容易にするいずれの媒体も含む通信媒体とコンピュータ記憶媒体との両方を含む。記憶媒体は、汎用または専用コンピュータによってアクセスされることができるいずれの利用可能な媒体でもありうる。限定ではなく例として、コンピュータ可読媒体は、ＲＡＭ、ＲＯＭ、電気的消去可能プログラマブルＲＯＭ（ＥＥＰＲＯＭ（登録商標））、コンパクトディスクＲＯＭ（ＣＤ−ＲＯＭ）または他の光学ディスクストレージ、磁気ディスクストレージまたは他の磁気記憶デバイス、あるいは、データ構造または命令の形式で所望のプログラムコード手段を記憶または搬送するために使用されうる、および汎用または専用コンピュータまたは汎用または専用プロセッサによってアクセスされうるいずれの他の媒体も備えることができる。また、いずれの接続手段も適切にコンピュータ可読媒体と呼ばれる。例えば、ソフトウェアが、同軸ケーブル、光ファイバケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、同軸ケーブル、光ファイバケーブル、ツイストペア、ＤＳＬ、または赤外線、無線、およびマイクロ波のようなワイヤレス技術は、媒体の定義中に含まれる。本明細書で使用される場合、ディスク（disk）およびディスク（disc）は、ＣＤ、レーザーディスク（登録商標）（disc）、光学ディスク（disc）、デジタル多目的ディスク（disc）（ＤＶＤ）、フロッピー（登録商標）ディスク（disk）、およびブルーレイディスク（disc）を含み、ここでディスク（disk）は通常磁気的にデータを再生する一方で、ディスク（disc）は、レーザーを用いて光学的にデータを再生する。上記の組合せもまた、コンピュータ可読媒体の範囲内に含まれる。
【０１１３】
[0125]本開示の先の説明は、当業者が本開示を製造または使用することを可能にするために提供される。本開示への様々な修正は、当業者にとって容易に明らかになり、本明細書で定義された一般的な原理は、本開示の範囲から逸脱することなく、他のバリエーションに適用されうる。本開示全体を通じて、「例」または「実例的」という用語は、例または事例を示し、言及されている例についてのいかなる選好も暗示または要求しない。したがって、本開示は、本明細書で説明されている例および設計に限定されることになっておらず、本明細書で開示されており原理および新規な特徴と一致する最も広い範囲を与えられることとなる。
以下に本願の出願当初の特許請求の範囲に記載された発明を付記する。
［Ｃ１］
ワイヤレス通信のための方法であって、
認可無線周波数スペクトル帯域を介して信号を送信することを備え、前記信号は、無認可無線周波数スペクトル帯域を介した測距プロシージャの実行をトリガする、
方法。
［Ｃ２］
前記信号を送信することは、前記認可無線周波数スペクトル帯域を介して発見信号または測距信号を送信することを備える、Ｃ１に記載の方法。
［Ｃ３］
前記信号を送信することは、前記信号をブロードキャストすることを備え、前記方法は、
前記ブロードキャストされた信号に応答して前記無認可無線周波数スペクトル帯域を介して複数の測距信号を受信することをさらに備える、Ｃ２に記載の方法。
［Ｃ４］
前記受信された複数の測距信号に少なくとも部分的に基づいて、少なくとも１つのデバイスに関連付けられた測位情報を決定することをさらに備える、Ｃ３に記載の方法。
［Ｃ５］
前記受信された複数の測距信号に関連付けられた測距測定値をブロードキャストすることをさらに備える、Ｃ３に記載の方法。
［Ｃ６］
前記信号に少なくとも部分的に基づいて前記測距プロシージャを実行するための情報を決定することをさらに備える、Ｃ１に記載の方法。
［Ｃ７］
前記測距プロシージャを実行するための情報を決定することは、前記信号の少なくとも一部を復号することを備える、Ｃ６に記載の方法。
［Ｃ８］
前記測距プロシージャを実行するための情報を決定することは、予め定義されたマップを適用することを備える、Ｃ６に記載の方法。
［Ｃ９］
前記測距プロシージャを実行するための情報を決定することは、前記信号の少なくとも一部によって示されるリソースにアクセスすることを備える、Ｃ６に記載の方法。
［Ｃ１０］
前記信号は、前記測距プロシージャを実行するための情報を含む、Ｃ１に記載の方法。
［Ｃ１１］
前記信号に含まれる前記情報は、帯域幅、中央周波数、およびタイムスロットを備える情報を含む、Ｃ１０に記載の方法。
［Ｃ１２］
前記信号に含まれる前記情報は、予め構成される、Ｃ１０に記載の方法。
［Ｃ１３］
前記信号を送信することは、基地局によって実行され、前記信号は、少なくとも２つのユーザ機器（ＵＥ）間の前記測距プロシージャを調整するための少なくとも１つのパラメータを提供する、Ｃ１に記載の方法。
［Ｃ１４］
前記信号によって提供される前記少なくとも１つのパラメータが、前記少なくとも２つのＵＥによる前記測距プロシージャの実行のためのスケジュールを備える、Ｃ１３に記載の方法。
［Ｃ１５］
前記信号によって提供される前記少なくとも１つのパラメータが、前記少なくとも２つのＵＥによる前記測距プロシージャの周期的実行のためのスケジュールを備える、Ｃ１３に記載の方法。
［Ｃ１６］
前記信号を送信することは、基地局によって実行され、
前記測距プロシージャは、測距測定を備え、
前記信号は、少なくとも１つのユーザ機器（ＵＥ）に前記測距測定の結果を前記基地局に報告させる、
Ｃ１に記載の方法。
［Ｃ１７］
前記信号を送信することは、基地局によって実行され、
前記信号は、前記無認可無線周波数スペクトル帯域を介した前記測距プロシージャを実行するためのスケジュールを含む、
Ｃ１に記載の方法。
［Ｃ１８］
前記基地局によって、前記スケジュールにしたがって前記測距プロシージャを実行することをさらに備える、Ｃ１７に記載の方法。
［Ｃ１９］
前記信号は、前記無認可無線周波数スペクトル帯域を介した前記測距プロシージャを実行するための少なくとも１つの他の基地局用のスケジュールを含む、Ｃ１７に記載の方法。
［Ｃ２０］
ワイヤレス通信のための装置であって、
認可無線周波数スペクトル帯域を介して信号を送信するための送信機を備え、前記信号は、無認可無線周波数スペクトル帯域を介した測距プロシージャの実行をトリガするように構成される、
装置。
［Ｃ２１］
前記送信機は、発見信号または測距信号として前記信号を送信する、Ｃ２０に記載の装置。
［Ｃ２２］
前記送信機は、前記信号をブロードキャストし、前記装置は、
前記ブロードキャストされた信号に応答して前記無認可無線周波数スペクトル帯域を介して複数の測距信号を受信するための受信機をさらに備える、Ｃ２１に記載の装置。
［Ｃ２３］
前記送信機は、前記受信された複数の測距信号に関連付けられた測距測定値をさらにブロードキャストする、Ｃ２２に記載の装置。
［Ｃ２４］
ワイヤレス通信のための装置であって、
認可無線周波数スペクトル帯域を介して信号を送信するための手段を備え、前記信号は、無認可無線周波数スペクトル帯域を介した測距プロシージャの実行をトリガするように構成される、
装置。
［Ｃ２５］
ワイヤレス通信のための方法であって、
認可無線周波数スペクトル帯域を介して信号を受信することと、
前記受信された信号に少なくとも部分的に基づいて、無認可無線周波数スペクトル帯域を介した測距プロシージャを実行することと、
を備える方法。
［Ｃ２６］
前記信号を受信することは、ユーザ機器（ＵＥ）から発見リクエストメッセージを受信することを備える、Ｃ２５に記載の方法。
［Ｃ２７］
前記測距プロシージャを実行することは、前記無認可無線周波数スペクトル帯域の同じ周波数上で複数の測距信号を送信することを備える、Ｃ２５に記載の方法。
［Ｃ２８］
前記測距プロシージャを実行することは、前記無認可無線周波数スペクトル帯域の複数の周波数上で少なくとも１つの測距信号を送信することを備える、Ｃ２５に記載の方法。
［Ｃ２９］
前記信号を受信することは、ユーザ機器（ＵＥ）からブロードキャストされた信号を受信することを備える、Ｃ２５に記載の方法。
［Ｃ３０］
前記受信されたブロードキャストされた信号は、複数のデバイスからの複数の測距測定値を含み、前記方法は、
前記無認可無線周波数スペクトル帯域を介した前記測距プロシージャを実行したデバイスの位置を決定するために、前記無認可無線周波数スペクトル帯域を介した前記測距プロシージャを実行したことから結果として得られる測距測定値、および前記複数の測距測定値からの少なくとも１つの測距測定値を使用することをさらに備える、Ｃ２９に記載の方法。
【図１】
0006522742.tif 000002
【図２Ａ】
0006522742.tif 000003
【図２Ｂ】
0006522742.tif 000004
【図３Ａ】
0006522742.tif 000005
【図３Ｂ】
0006522742.tif 000006
【図３Ｃ】
0006522742.tif 000007
【図４】
0006522742.tif 000008
【図５】
0006522742.tif 000009
【図６】
0006522742.tif 000010
【図７】
0006522742.tif 000011
【図８】
0006522742.tif 000012
【図９】
0006522742.tif 000013
【図１０】
0006522742.tif 000014